(57)【特許請求の範囲】
【請求項１】
物体側から像側へ順に配置された、正の屈折力の第１レンズ群、フォーカシングに際して移動する正の屈折力の第２レンズ群、像ぶれ補正に際して光軸に対して垂直方向の成分を持つ方向に移動する負の屈折力の第３レンズ群、正の屈折力の第４レンズ群から成る光学系、或いは、物体側から像側へ順に配置された、正の屈折力の第１レンズ群、フォーカシングに際して移動する正の屈折力の第２レンズ群、レンズ群、像ぶれ補正に際して光軸に対して垂直方向の成分を持つ方向に移動する負の屈折力の第３レンズ群、正の屈折力の第４レンズ群から成る光学系であって、
前記第１レンズ群は５枚以下のレンズ要素より構成され、
前記第２レンズ群と前記第３レンズ群との間には開口絞りが配置されており、
前記第３レンズ群の最も物体側のレンズ面から像面までの光軸上における距離をＤ３、全系の焦点距離をｆとするとき、
０．３０＜Ｄ３／ｆ＜１．３０
なる条件式を満足することを特徴とする光学系。
【請求項２】
前記第２レンズ群の最も像側のレンズ面から前記第３レンズ群の最も物体側のレンズ面までの光軸上の距離をＤ２３とするとき、
０．０１＜Ｄ２３／ｆ＜０．２０
なる条件式を満足することを特徴とする請求項１に記載の光学系。
【請求項３】
前記第１レンズ群の最も像側のレンズ面から前記第２レンズ群の最も物体側のレンズ面までの光軸上の距離をＤ１２とするとき、
０．０４３＜Ｄ１２／ｆ＜０．３００
なる条件式を満足することを特徴とする請求項１又は２に記載の光学系。
【請求項４】
前記第１レンズ群の焦点距離をｆ１とするとき、
１．００＜ｆ１／ｆ＜７．００
なる条件式を満足することを特徴とする請求項１乃至３の何れか一項に記載の光学系。
【請求項５】
前記第２レンズ群の焦点距離をｆ２とするとき、
０．２７＜ｆ２／ｆ＜２．００
なる条件式を満足することを特徴とする請求項１乃至４の何れか一項に記載の光学系。
【請求項６】
前記第３レンズ群の焦点距離をｆ３とするとき、
−１．０＜ｆ３／ｆ＜−０．１
なる条件式を満足することを特徴とする請求項１乃至５の何れか一項に記載の光学系。
【請求項７】
前記第３レンズ群の焦点距離をｆ３、前記第４レンズ群の焦点距離をｆ４とするとき、
−２．０＜ｆ３／ｆ４＜−０．４
なる条件式を満足することを特徴とする請求項１乃至６の何れか一項に記載の光学系。
【請求項８】
無限遠にフォーカスしているときの前記第２レンズ群の結像横倍率をβ２とするとき、０．０５＜β２＜０．７０
なる条件式を満足することを特徴とする請求項１乃至７の何れか一項に記載の光学系。
【請求項９】
無限遠にフォーカスしているときの前記第３レンズ群の結像横倍率をβ３とするとき、
１／（β３）２＜０．２０
なる条件式を満足することを特徴とする請求項１乃至８の何れか一項に記載の光学系。
【請求項１０】
最も物体側に配置されたレンズの物体側のレンズ面から像面までの光軸上の距離をＬとするとき、
０．４＜Ｄ３／Ｌ＜０．７
なる条件式を満足することを特徴とする請求項１乃至９の何れか一項に記載の光学系。
【請求項１１】
前記第１レンズ群は、物体側から像側へ順に配置された、正レンズ、正レンズ、正レンズ、負レンズより構成されていることを特徴とする請求項１乃至１０の何れか一項に記載の光学系。
【請求項１２】
前記第１レンズ群は、物体側から像側へ順に配置された、正レンズ、正レンズ、負レンズより構成されていることを特徴とする請求項１乃至１０の何れか一項に記載の光学系。
【請求項１３】
前記第１レンズ群は、物体側から像側へ順に配置された、正レンズ、正レンズ、負レンズ、正レンズ、負レンズより構成されていることを特徴とする請求項１乃至１０の何れか一項に記載の光学系。
【請求項１４】
前記第３レンズ群は、物体側から像側へ順に配置された、負レンズ、正レンズ、負レンズより構成されていることを特徴とする請求項１乃至１３の何れか一項に記載の光学系。
【請求項１５】
前記第３レンズ群は、物体側から像側へ順に配置された、負レンズ、負レンズ、正レンズより構成されていることを特徴とする請求項１乃至１１、１３の何れか一項に記載の光学系。
【請求項１６】
前記第３レンズ群は、物体側から像側へ順に配置された、正レンズ、負レンズより構成されていることを特徴とする請求項１乃至１０、１２の何れか一項に記載の光学系。
【請求項１７】
前記第２レンズ群は、物体側から像側へ順に配置された、負レンズ、正レンズより構成されていることを特徴とする請求項１乃至１５の何れか一項に記載の光学系。
【請求項１８】
前記第２レンズ群は、正レンズより構成されていることを特徴とする請求項１乃至１０、１２、１６の何れか一項に記載の光学系。
【請求項１９】
前記第２レンズ群および前記第３レンズ群の間に配置された、正レンズまたは負レンズを有することを特徴とする請求項１乃至１２、１４、１７の何れか一項に記載の光学系。
【請求項２０】
前記第３レンズ群の焦点距離をｆ３、前記第４レンズ群の焦点距離をｆ４とするとき、
−０．８０＜ｆ３／ｆ＜−０．１
−２．０＜ｆ３／ｆ４≦−０．５６６
なる条件式を満足することを特徴とする請求項１乃至１９の何れか一項に記載の光学系。
【請求項２１】
前記第３レンズ群の焦点距離をｆ３、最も物体側に配置されたレンズの物体側のレンズ面から像面までの光軸上の距離をＬとするとき、
−０．８０＜ｆ３／ｆ＜−０．１
０．５＜Ｄ３／Ｌ＜０．７
なる条件式を満足することを特徴とする請求項１乃至２０の何れか一項に記載の光学系。
【請求項２２】
物体側から像側へ順に配置された、正の屈折力の第１レンズ群、フォーカシングに際して移動する正の屈折力の第２レンズ群、像ぶれ補正に際して光軸に対して垂直方向の成分を持つ方向に移動する負の屈折力の第３レンズ群、正の屈折力の第４レンズ群から成る光学系、或いは、物体側から像側へ順に配置された、正の屈折力の第１レンズ群、フォーカシングに際して移動する正の屈折力の第２レンズ群、レンズ群、像ぶれ補正に際して光軸に対して垂直方向の成分を持つ方向に移動する負の屈折力の第３レンズ群、正の屈折力の第４レンズ群から成る光学系であって、
前記第１レンズ群は５枚以下のレンズ要素より構成され、
前記第３レンズ群は、物体側から像側へ順に配置された、負レンズ、負レンズ、正レンズより構成され、
前記第３レンズ群の最も物体側のレンズ面から像面までの光軸上における距離をＤ３、全系の焦点距離をｆとするとき、
０．３０＜Ｄ３／ｆ＜１．３０
なる条件式を満足することを特徴とする光学系。
【請求項２３】
請求項１乃至２２の何れか一項の光学系と、該光学系によって形成される像を受光する撮像素子を有することを特徴とする撮像装置。
【発明の詳細な説明】
【技術分野】
【０００１】
本発明は光学系及びそれを有する撮像装置に関し、たとえば、デジタルスチルカメラ・デジタルビデオカメラ、ＴＶカメラ、監視用カメラ、銀塩カメラ等の撮像光学系として好適なものである。
【背景技術】
【０００２】
デジタルカメラやビデオカメラ等の撮像装置に用いられる撮像光学系として、焦点距離が長くＦナンバーが小さい大口径で望遠型の撮像光学系が知られている。大口径で望遠型の撮像光学系はポートレート撮影や屋内スポーツでの撮影で広く使用されている。このような撮像光学系にはレンズ全長（第１レンズ面から像面までの長さ）が短く、全系が小型で高い光学性能を有し、しかも自動焦点検出（オートフォーカス機能）が容易に行うことができること等が求められている。特にオートフォーカスに際しては迅速にフォーカス（合焦）ができることが強く要望されている。
【０００３】
従来より、フォーカス速度が速いフォーカシング方式として、レンズ系の中間に位置する小型軽量のレンズ群を動かしてフォーカシングをするインナーフォーカス方式が知られている。また望遠型の撮像光学系では手ブレ等の振動が少しでもあると撮像画像がブレて（画像ぶれが生じて）、画質が低下してくる。このため望遠型の撮像光学系には手ブレ等の振動があったときの撮像画像のブレを補正する所謂防振機能を有することも要望されている。
【０００４】
従来より、撮影画像のブレを補正する方法として、撮像光学系の一部のレンズ群を光軸に対して垂直方向の成分を持つ方向に移動させて、結像位置を光軸に対し垂直方向へ移動させる、所謂、レンズ内手ブレ補正方式が知られている。従来、これらインナーフォーカス方式とレンズ内手ブレ補正方式を用い、全系が小型で高い光学性能を持つ望遠型の撮像光学系が知られている（特許文献１、２）。
【先行技術文献】
【特許文献】
【０００５】
【特許文献１】特開２０１２−２４２５０４号公報
【特許文献２】特開２０１４−７４７８３号公報
【発明の概要】
【発明が解決しようとする課題】
【０００６】
大口径で望遠型の撮像光学系はレンズの有効径が大きくなり、レンズ系全体が大型化及び高重量化してくる。特にフォーカスレンズ群や防振レンズ群の重量が重くなると、駆動するメカ機構が大型化し、撮像光学系全体が大型化してくる。インナーフォーカス方式は比較的、小型軽量のレンズ群でフォーカシングすることができ、迅速なるフォーカシングが容易である。
【０００７】
しかしながら、インナーフォーカス方式はフォーカシングに際して収差変動が増大する傾向がある。また撮像光学系中の一部のレンズ群を防振レンズ群として用いるレンズ内手ブレ補正方式は、小型軽量のレンズ群で防振することが容易であるが、防振に際して偏心収差が多く発生してくる傾向がある。
【０００８】
このため、望遠型の撮像光学系において、インナーフォーカス方式を用いてフォーカシングを行い、かつ防振機能を用いて撮像画像のブレを補正するには撮像光学系におけるフォーカスレンズ群や防振レンズ群を適切に設定することが重要になってくる。特にフォーカスレンズ群や防振レンズ群を光学系中のどのレンズ群で行うかを適切に構成することが重要になってくる。
【０００９】
本発明は、小型軽量なレンズ群でフォーカシングができ、また小型軽量のレンズ群で防振ができ、しかもフォーカシング時及び防振時の光学性能を良好に維持することが容易な光学系の提供を目的とする。
【課題を解決するための手段】
【００１０】
本発明の光学系は、物体側から像側へ順に配置された、正の屈折力の第１レンズ群、フォーカシングに際して移動する正の屈折力の第２レンズ群、像ぶれ補正に際して光軸に対して垂直方向の成分を持つ方向に移動する負の屈折力の第３レンズ群、正の屈折力の第４レンズ群から成る光学系、或いは、物体側から像側へ順に配置された、正の屈折力の第１レンズ群、フォーカシングに際して移動する正の屈折力の第２レンズ群、レンズ群、像ぶれ補正に際して光軸に対して垂直方向の成分を持つ方向に移動する負の屈折力の第３レンズ群、正の屈折力の第４レンズ群から成る光学系であって、前記第１レンズ群は５枚以下のレンズ要素より構成され、前記第２レンズ群と前記第３レンズ群との間には開口絞りが配置されており、前記第３レンズ群の最も物体側のレンズ面から像面までの光軸上における距離をＤ３、全系の焦点距離をｆとするとき、０．３０＜Ｄ３／ｆ＜１．３０なる条件式を満足することを特徴としている。
【発明の効果】
【００１１】
本発明によれば、小型軽量なレンズ群でフォーカシングができ、また小型軽量のレンズ群で防振ができ、しかもフォーカシング時及び防振時の光学性能を良好に維持することが容易な光学系が得られる。
【図面の簡単な説明】
【００１２】
【図１】実施例１の無限遠物体に合焦時のレンズ断面図
【図２】（Ａ）、（Ｂ）  実施例１の光学系において無限遠物体と結像倍率−０．２０のときの縦収差図
【図３】（Ａ）、（Ｂ）  実施例１の光学系において無限遠物体に合焦時の基準状態と０．５°の像面上の画像振れを補正したとき（防振時）の横収差図
【図４】実施例２の無限遠物体に合焦時のレンズ断面図
【図５】（Ａ）、（Ｂ）  実施例２の光学系において無限遠物体と結像倍率−０．１２のときの縦収差図
【図６】（Ａ）、（Ｂ）  実施例２の光学系において無限遠物体に合焦時の基準状態と０．５°の像面上の画像振れを補正したとき（防振時）の横収差図
【図７】実施例３の無限遠物体に合焦時のレンズ断面図
【図８】（Ａ）、（Ｂ）  実施例３の光学系において無限遠物体と結像倍率−０．１２のときの縦収差図
【図９】（Ａ）、（Ｂ）  実施例３の光学系において無限遠物体に合焦時の基準状態と０．５°の像面上の画像振れを補正したとき（防振時）の横収差図
【図１０】実施例４の無限遠物体に合焦時のレンズ断面図
【図１１】（Ａ）、（Ｂ）  実施例４の光学系において無限遠物体と結像倍率−０．１３のときの縦収差図
【図１２】（Ａ）、（Ｂ）  実施例４の光学系において無限遠物体に合焦時の基準状態と０．５°の像面上の画像振れを補正したとき（防振時）の横収差図
【図１３】実施例５の無限遠物体に合焦時のレンズ断面図
【図１４】（Ａ）、（Ｂ）  実施例５の光学系において無限遠物体と結像倍率−０．１７のときの縦収差図
【図１５】（Ａ）、（Ｂ）  実施例５の光学系において無限遠物体に合焦時の基準状態と０．５°の像面上の画像振れを補正したとき（防振時）の横収差図
【図１６】実施例６の無限遠物体に合焦時のレンズ断面図
【図１７】（Ａ）、（Ｂ）  実施例６の光学系において無限遠物体と結像倍率−０．１９のときの縦収差図
【図１８】（Ａ）、（Ｂ）  実施例６の光学系において無限遠物体に合焦時の基準状態と０．５°の像面上の画像振れを補正したとき（防振時）の横収差図
【図１９】実施例７の無限遠物体に合焦時のレンズ断面図
【図２０】（Ａ）、（Ｂ）  実施例７の光学系において無限遠物体と結像倍率−０．１３のときの縦収差図
【図２１】（Ａ）、（Ｂ）  実施例７の光学系において無限遠物体に合焦時の基準状態と０．５°の像面上の画像振れを補正したとき（防振時）の横収差図
【図２２】実施例８の無限遠物体に合焦時のレンズ断面図
【図２３】（Ａ）、（Ｂ）  実施例８の光学系において無限遠物体と結像倍率−０．１３のときの縦収差図
【図２４】（Ａ）、（Ｂ）  実施例８の光学系において無限遠物体に合焦時の基準状態と０．５°の像面上の画像振れを補正したとき（防振時）の横収差図
【図２５】実施例９の無限遠物体に合焦時のレンズ断面図
【図２６】（Ａ）、（Ｂ）  実施例９の光学系において無限遠物体と結像倍率−０．１７のときの縦収差図
【図２７】（Ａ）、（Ｂ）  実施例９の光学系において無限遠物体に合焦時の基準状態と０．５°の像面上の画像振れを補正したとき（防振時）の横収差図
【図２８】本発明の光学系の近軸屈折力配置の説明図
【図２９】本発明の撮像装置の要部概略図
【発明を実施するための形態】
【００１３】
以下に、本発明の光学系及びそれを有する撮像装置について説明する。本発明の光学系は、物体側から像側へ順に配置された正の屈折力の第１レンズ群、正の屈折力の第２レンズ群、開口絞り、負の屈折力の第３レンズ群、正の屈折力の第４レンズ群より構成されている。
【００１４】
無限遠から近距離のフォーカシングに際して第２レンズ群が物体側へ移動する。第２レンズ群はフォーカシングレンズ群である。像ぶれ補正に際して第３レンズ群が光軸に対して垂直方向の成分を持つ方向に移動する。第３レンズ群は防振レンズ群である。ここでレンズ群とはフォーカシングに際して光軸方向のレンズ間隔の変化によって分けられるレンズ系及び像ぶれ補正に際して光軸に対して垂直方向の成分を持つ方向の移動によって分けられるレンズ系をいう。
【００１５】
図１は本発明の光学系の実施例１の無限遠物体に合焦時（フォーカスしているとき）のレンズ断面図である。図２（Ａ）、（Ｂ）は実施例１の光学系において無限遠物体と結像横倍率−０．２０倍のときの縦収差図である。図３（Ａ）、（Ｂ）は実施例１の光学系において無限遠物体に合焦時の基準状態と０．５度の像面上の画像ぶれを補正したとき（防振時）の横収差図である。実施例１はＦナンバー２．０６、撮像画角１８．４４°の光学系である。ここで基準状態とは像ぶれ補正を行わないときの撮像状態をいう。
【００１６】
図４は本発明の光学系の実施例２の無限遠物体に合焦時（フォーカスしているとき）のレンズ断面図である。図５（Ａ）、（Ｂ）は実施例２の光学系において無限遠物体と結像横倍率−０．１２倍のときの縦収差図である。図６（Ａ）、（Ｂ）は実施例２の光学系において無限遠物体に合焦時の基準状態と０．５度の像面上の画像ぶれを補正したとき（防振時）の横収差図である。実施例２はＦナンバー２．０６、撮像画角２４．９°の光学系である。
【００１７】
図７は本発明の光学系の実施例３の無限遠物体に合焦時（フォーカスしているとき）のレンズ断面図である。図８（Ａ）、（Ｂ）は実施例３の光学系において無限遠物体と結像横倍率−０．１２倍のときの縦収差図である。図９（Ａ）、（Ｂ）は実施例３の光学系において無限遠物体に合焦時の基準状態と０．５度の像面上の画像ぶれを補正したとき（防振時）の横収差図である。実施例３はＦナンバー１．８６、撮像画角２８．８８°の光学系である。
【００１８】
図１０は本発明の光学系の実施例４の無限遠物体に合焦時（フォーカスしているとき）のレンズ断面図である。図１１（Ａ）、（Ｂ）は実施例４の光学系において無限遠物体と結像横倍率−０．１３倍のときの縦収差図である。図１２（Ａ）、（Ｂ）は実施例４の光学系において無限遠物体に合焦時の基準状態と０．５度の像面上の画像ぶれを補正したとき（防振時）の横収差図である。実施例４はＦナンバー１．４５、撮像画角２８．８８°の光学系である。
【００１９】
図１３は本発明の光学系の実施例５の無限遠物体に合焦時（フォーカスしているとき）のレンズ断面図である。図１４（Ａ）、（Ｂ）は実施例５の光学系において無限遠物体と結像横倍率−０．１７倍のときの縦収差図である。図１５（Ａ）、（Ｂ）は実施例５の光学系において無限遠物体に合焦時の基準状態と０．５度の像面上の画像ぶれを補正したとき（防振時）の横収差図である。実施例５はＦナンバー２．８８、撮像画角８．５°の光学系である。
【００２０】
図１６は本発明の光学系の実施例６の無限遠物体に合焦時（フォーカスしているとき）のレンズ断面図である。図１７（Ａ）、（Ｂ）は実施例６の光学系において無限遠物体と結像横倍率−０．１９倍のときの縦収差図である。図１８（Ａ）、（Ｂ）は実施例６の光学系において無限遠物体に合焦時の基準状態と０．５度の像面上の画像ぶれを補正したとき（防振時）の横収差図である。実施例６はＦナンバー２．０６、撮像画角１８．４４°の光学系である。
【００２１】
図１９は本発明の光学系の実施例７の無限遠物体に合焦時（フォーカスしているとき）のレンズ断面図である。図２０（Ａ）、（Ｂ）は実施例７の光学系において無限遠物体と結像横倍率−０．１３倍のときの縦収差図である。図２１（Ａ）、（Ｂ）は実施例７の光学系において無限遠物体に合焦時の基準状態と０．５度の像面上の画像ぶれを補正したとき（防振時）の横収差図である。実施例７はＦナンバー１．４５、撮像画角２０．５２°の光学系である。
【００２２】
図２２は本発明の光学系の実施例８の無限遠物体に合焦時（フォーカスしているとき）のレンズ断面図である。図２３（Ａ）、（Ｂ）は実施例８の光学系において無限遠物体と結像横倍率−０．１３倍のときの縦収差図である。図２４（Ａ）、（Ｂ）は実施例８の光学系において無限遠物体に合焦時の基準状態と０．５度の像面上の画像ぶれを補正したとき（防振時）の横収差図である。実施例８はＦナンバー１．４５、撮像画角２９．２６°の光学系である。
【００２３】
図２５は本発明の光学系の実施例９の無限遠物体に合焦時（フォーカスしているとき）のレンズ断面図である。図２６（Ａ）、（Ｂ）は実施例９の光学系において無限遠物体と結像横倍率−０．１７倍のときの縦収差図である。図２７（Ａ）、（Ｂ）は実施例９の光学系において無限遠物体に合焦時の基準状態と０．５度の像面上の画像ぶれを補正したとき（防振時）の横収差図である。実施例９はＦナンバー１．８６、撮像画角２１．６６°の光学系である。図２９は本発明の撮像装置の要部概略図である。各実施例の光学系は焦点距離が長い望遠型の撮像光学系より成っている。
【００２４】
ここで望遠型の撮像光学系とは撮影画角が８．５°〜２９．５°程度の光学系をいう。レンズ断面図において、左側が物体側（前方、拡大側）、右側が像側（後方、縮小側）である。ＯＬは光学系であり、物体側から像側へ順に配置された、正の屈折力の第１レンズ群Ｌ１、正の屈折力の第２レンズ群Ｌ２、開口絞りＳＰ、負の屈折力の第３レンズ群Ｌ３、正の屈折力の第４レンズ群Ｌ４より成っている。
【００２５】
ＩＭＳは像面であり、ビデオカメラやデジタルスチルカメラの撮像光学系として用いる際には像面はＣＣＤセンサやＣＭＯＳセンサ等の固体撮像素子（光電変換素子）の撮像面に相当する。また銀塩フィルムカメラ用として用いる際には、像面はフィルム面に相当する。球面収差図において、実線はｄ線（波長５８７．６ｎｍ）、一点鎖線はｇ線（波長４３５．８ｎｍ）を表している。非点収差図において実線はｄ線のメリディオナル像面、破線はｄ線のサジタル像面を表す。また歪曲収差はｄ線によって表している。ＦｎｏはＦナンバー、ωは半画角（度）である。
【００２６】
各横収差図における実線はｄ線のメリディオナル光線、点線はｄ線のサジタル光線、二点鎖線はｇ線のメリディオナル光線を表している。ｈｇｔは像高である。
【００２７】
図２８は本発明の光学系Ｌ０の近軸屈折力配置と光路図の模式的図である。大口径で望遠型の撮像レンズにおいては前玉（第１レンズ群Ｌ１）に入射する軸上光束の入射高が高いため、開口絞りＳＰより前方に配置されたレンズほどレンズ有効径が大きくなる。
【００２８】
一方、開口絞りＳＰより像側に位置するレンズは軸外光束の入射高が高くなるため、開口絞りＳＰより後方に配置されたレンズほどレンズ有効径が大きくなる。従って、フォーカシングレンズ群と防振レンズ群の両方のレンズ群を小型化するためには、これらのレンズ群を開口絞りＳＰ近傍に配置するのが良い。
【００２９】
本発明に係る大口径で望遠型の光学系Ｌ０は物体側から像側へ順に配置された正の屈折力の第１レンズ群Ｌ１、正の屈折力の第２レンズ群Ｌ２、負の屈折力の第３レンズ群Ｌ３、正の屈折力の第４レンズ群Ｌ４より構成される。第２レンズ群Ｌ２を光軸方向に駆動することでフォーカシングを行う。第３レンズ群Ｌ３を光軸に対して垂直方向の成分を持つように駆動させることで像ぶれを補正している。フォーカシングレンズ群と防振レンズ群を光学系Ｌ０中の中間付近に配置することにより、これらの有効径が小さくなるようにしている。
【００３０】
また、第２レンズ群Ｌ２と第３レンズ群Ｌ３の近傍に開口絞りＳＰを配置することで上述の効果を得ている。各実施例では開口絞りＳＰを第２レンズ群Ｌ２と第３レンズ群Ｌ３との間に配置している。無限遠から近距離へのフォーカシングに際して第２レンズ群Ｌ２を物体側に駆動させている。第２レンズ群Ｌ２の物体側に第２レンズ群Ｌ２が移動するためのスペースを確保するため第１レンズ群Ｌ１を薄型にしている。第１レンズ群Ｌ１を十分に薄型化しないと、レンズ全系が大型化してしまう。従って、第１レンズ群Ｌ１の構成を適切に設定することが重要となる。
【００３１】
本発明の光学系Ｌ０では第１レンズ群Ｌ１が５枚以下のレンズ要素で構成されている。ここでレンズ要素とは単一レンズ又は複数のレンズを接合した接合レンズを意味する。
【００３２】
第１レンズ群Ｌ１が所謂ガウス型のレンズ系の前方レンズ系に近い構成としている。すなわち物体側から像側へ順に物体側に凸面を向けた２枚の正レンズ又は３枚の正レンズと像面側に凹面を向けた負レンズを有するようにしている。これによりレンズ全長の短縮と収差補正を良好に行っている。３枚の正レンズを用いると、球面収差の補正が容易となる。また、負レンズの像面側に接合レンズ、または正レンズと負レンズを配置しても良く、これによれば色収差の補正がさらに容易となる。
【００３３】
本発明の光学系において、第３レンズ群Ｌ３の最も物体側のレンズ面から像面までの光軸上における距離をＤ３、全系の焦点距離をｆとする。但し、距離Ｄ３は最終レンズ面から像面までの間にフェースプレート、光学フィルター等の平行平板よりなる光学材料が配置されているときは光学材料の厚さは空気換算した値を用いる。このことは以下、同じである。このとき、
０．３０＜Ｄ３／ｆ＜１．３０    ・・・（１）
なる条件式を満足する。
【００３４】
次に前述の条件式の技術的意味について説明する。条件式（１）は像ぶれ補正用の第３レンズ群Ｌ３の有効径を小さくするための第３レンズ群Ｌ３の光軸方向の位置に関する。条件式（１）の下限を下回り像面近くに第３レンズ群Ｌ３が位置すると、軸外光線の入射高が高くなり、第３レンズ群Ｌ３のレンズ有効径が大きくなってくる。また条件式（１）の上限を上回り物体側に第３レンズ群Ｌ３が位置すると軸上光線の入射高が高くなり、第３レンズ群Ｌ３のレンズ有効径が大きくなってくる。
【００３５】
更に好ましくは条件式（１）の数値範囲を次の如く設定するのが良い。
０．４５＜Ｄ３／ｆ＜１．１０    ・・・（１ａ）
更に好ましくは条件式（１ａ）の数値範囲を次の如く設定するのが良い。
０．４９＜Ｄ３／ｆ＜１．０２    ・・・（１ｂ）
【００３６】
本発明では、以上のような構成をとることにより、フォーカスレンズ群と防振レンズ群の有効径を小さくし、光学系の小型化を図っている。
【００３７】
本発明の光学系において更に好ましくは次の条件式のうち１つ以上を満足するのが良い。第２レンズ群Ｌ２の最も像側のレンズ面から第３レンズ群Ｌ３の最も物体側のレンズ面までの光軸上の距離をＤ２３とする。第１レンズ群Ｌ１の最も像側のレンズ面から第２レンズ群Ｌ２の最も物体側のレンズ面までの光軸上の距離をＤ１２とする。第１レンズ群Ｌ１の焦点距離をｆ１とする。第２レンズ群Ｌ２の焦点距離をｆ２とする。第３レンズ群Ｌ３の焦点距離をｆ３とする。第４レンズ群Ｌ４の焦点距離をｆ４とする。
【００３８】
無限遠にフォーカスしているときの第２レンズ群Ｌ２の結像横倍率をβ２とする。無限遠にフォーカスしているときの第３レンズ群Ｌ３の結像横倍率をβ３とする。最も物体側のレンズのレンズ面から像面までの光軸上の距離をＬとする。このとき、次の条件式のうち１つ以上を満足するのが良い。
【００３９】
０．０１＜Ｄ２３／ｆ＜０．２０      ・・・（２）
０．０４３＜Ｄ１２／ｆ＜０．３００  ・・・（３）
１．００＜ｆ１／ｆ＜７．００        ・・・（４）
０．２７＜ｆ２／ｆ＜２．００        ・・・（５）
−１．０＜ｆ３／ｆ＜−０．１        ・・・（６）
−２．０＜ｆ３／ｆ４＜−０．４      ・・・（７）
０．０５＜β２＜０．７０            ・・・（８）
１／（β３）2＜０．２０              ・・・（９）
０．４＜Ｄ３／Ｌ＜０．７            ・・・（１０）
【００４０】
次に前述の各条件式の技術的意味について説明する。条件式（２）は第２レンズ群Ｌ２と第３レンズ群Ｌ３の間隔を規定している。条件式（２）の上限を超えて第２レンズ群Ｌ２と第３レンズ群Ｌ３が離れすぎると第２レンズ群Ｌ２又は第３レンズ群Ｌ３のいずれかのレンズ有効径が増大してくる。条件式（２）の下限を下回り第２レンズ群Ｌ２と第３レンズ群Ｌ３が近づくとメカ機構の配置が困難となり、好ましくない。
【００４１】
条件式（３）は第１レンズ群Ｌ１と第２レンズ群Ｌ２の間隔を規定している。条件式（３）の上限を超えて第１レンズ群Ｌ１と第２レンズ群Ｌ２が離れすぎると第１レンズ群Ｌ１のレンズ有効径が大きくなり、全系が大型化してくる。条件式（３）の下限を下回るとフォーカシングのために第２レンズ群Ｌ２が移動するためのスペースを確保することが困難となる。
【００４２】
条件式（４）は第１レンズ群Ｌ１の焦点距離を規定している。条件式（４）の上限を超えて第１レンズ群Ｌ１の焦点距離が長くなりすぎると第１レンズ群Ｌ１が大型化してくる。条件式（１）を下回り第１レンズ群Ｌ１の焦点距離が短くなると、全系の小型化には有利となるが、諸収差、特に球面収差と軸上色収差、倍率色収差の補正が困難になってくる。
【００４３】
条件式（５）は第２レンズ群Ｌ２の焦点距離を規定している。第２レンズ群Ｌ２はフォーカシングレンズ群であり、フォーカシングに際しての移動量を軽減しつつ、諸収差を良好に補正するためには、焦点距離を適切に設定することが重要である。条件式（５）の上限を超えて第１レンズ群Ｌ１の焦点距離が長くなるとフォーカシングに際しての移動量が長くなり、全系が大型化してくる。
【００４４】
条件式（５）の下限を下回り第１レンズ群Ｌ１の焦点距離が短くなると、フォーカシングに際しての収差変動、特に球面収差の変動が増大し、この収差の変動を軽減することが困難となる。条件式（６）は第３レンズ群Ｌ３の焦点距離を規定している。第３レンズ群Ｌ３は防振レンズ群である。条件式（６）は像ぶれ補正のために光軸に対して垂直方向の成分を持つように駆動させたときの画像の劣化を少なくするためのものである。
【００４５】
条件式（６）の下限を下回り第３レンズ群Ｌ３の負の焦点距離の絶対値が大きくなると、像ぶれ補正のための移動量が大きくなり、好ましくない。条件式（６）の上限を超えて第３レンズ群Ｌ３の負の焦点距離の絶対値が小さくなると像ぶれ補正の際の収差、特に偏心コマ収差とサジタル像面の片ボケが増大し、これらを補正することが困難となる。第３レンズ群Ｌ３は像側に凹面を向けた負レンズ成分と物体側に凹面を向けた負レンズ成分より構成するのが良い。又は像側に凹面を向けた負レンズ成分と両凹形状の負レンズ成分より構成するのが良い。これによれば偏心コマ収差を良好に補正することが容易となる。
【００４６】
条件式（７）は第３レンズ群Ｌ３と第４レンズ群Ｌ４の焦点距離の比を規定している。条件式（７）の上限を超えて第３レンズ群Ｌ３の負の焦点距離の絶対値が小さくなると、または第４レンズ群Ｌ４の焦点距離が長くなるとレンズ全長が増大してくる。条件式（７）の下限を下回り第３レンズ群Ｌ３の負の焦点距離の絶対値が大きく、または第４レンズ群Ｌ４の焦点距離が短くなると、ペッツバール和がプラス方向に増加し、像面湾曲がアンダー方向に増大してくる。
【００４７】
条件式（８）は第２レンズ群Ｌ２の結像横倍率を規定している。条件式（８）の上限を超えて第２レンズ群Ｌ２の結像横倍率が大きくなると、第２レンズ群Ｌ２のフォーカシングに際しての移動量が大きくなり、全系が大型化してくる。条件式（８）の下限を下回り第２レンズ群Ｌ２の結像横倍率が小さくなると第１レンズ群Ｌ１の焦点距離が長くなり、全系が大型化してくる。
【００４８】
条件式（９）は第３レンズ群Ｌ３の結像横倍率を規定している。第３レンズ群Ｌ３から射出する軸上光線が略アフォーカルとなるとき結像横倍率β３は大きな値となり、条件式（９）の値は小さな値となる。第３レンズ群Ｌ３から軸上光線が略アフォーカルとなるような配置とすることで像ぶれ補正に際しての画像の劣化、特に偏心コマ収差とメリディオナル像面の片ボケの補正を良好に行っている。条件式（９）の上限を超えてアフォーカルではない光学配置とすると、像ぶれ補正に際して偏心コマ収差とメリディオナル像面の片ボケが増大し、これらの補正が困難となる。
【００４９】
条件式（１０）はレンズ全長と第３レンズ群Ｌ３の光軸方向の位置との関係を規定している。条件式（１０）の上限を超えて第３レンズ群Ｌ３を物体側に配置すると、第３レンズ群Ｌ３よりも物体側に配置される第２レンズ群Ｌ２の軸上光線の入射高が高くなり、第２レンズ群Ｌ２のレンズ有効径が大きくなる。条件式（１０）の下限を下回り第３レンズ群Ｌ３を像面側に配置すると、長いバックフォーカスを確保するのが困難となる。更に好ましくは条件式（２）乃至（１０）の数値範囲を次の如く設定するのが良い。
【００５０】
０．０１７＜Ｄ２３／ｆ＜０．１９０  ・・・（２ａ）
０．０６＜Ｄ１２／ｆ＜０．２５      ・・・（３ａ）
１．０５＜ｆ１／ｆ＜６．００        ・・・（４ａ）
０．３５＜ｆ２／ｆ＜１．５０        ・・・（５ａ）
−０．８０＜ｆ３／ｆ＜−０．１１    ・・・（６ａ）
−１．６＜ｆ３／ｆ４＜−０．５      ・・・（７ａ）
０．１０＜β２＜０．５６            ・・・（８ａ）
１／（β３）2＜０．１２              ・・・（９ａ）
０．４８＜Ｄ３／Ｌ＜０．６５        ・・・（１０ａ）
【００５１】
更に好ましくは条件式（２ａ）乃至（１０ａ）の数値範囲を次の如く設定するのが良い。
０．０２５＜Ｄ２３／ｆ＜０．１８０  ・・・（２ｂ）
０．０７０＜Ｄ１２／ｆ＜０．２３２  ・・・（３ｂ）
１．１０＜ｆ１／ｆ＜５．２２        ・・・（４ｂ）
０．４５＜ｆ２／ｆ＜１．４８        ・・・（５ｂ）
−０．７８＜ｆ３／ｆ＜−０．１２    ・・・（６ｂ）
−１．５５＜ｆ３／ｆ４＜−０．５２  ・・・（７ｂ）
０．１６＜β２＜０．５２            ・・・（８ｂ）
１／（β３）2＜０．０９              ・・・（９ｂ）
０．５＜Ｄ３／Ｌ＜０．６            ・・・（１０ｂ）
【００５２】
各実施例において第１レンズ群Ｌ１乃至第３レンズ群Ｌ３のレンズ構成は次のとおりである。第１レンズ群Ｌ１は物体側から像側へ順に配置された、正レンズ、正レンズ、正レンズ、負レンズより構成されている。又は第１レンズ群Ｌ１は物体側から像側へ順に配置された、正レンズ、正レンズ、負レンズより構成されている。又は第１レンズ群Ｌ１は物体側から像側へ順に配置された、正レンズ、正レンズ、負レンズ、正レンズ、負レンズより構成されている。第２レンズ群Ｌ２は物体側から像側へ順に配置された、負レンズ、正レンズより構成されている。
【００５３】
又は第２レンズ群Ｌ２は物体側から像側へ順に配置された、正レンズより構成されている。第３レンズ群Ｌ３は物体側から像側へ順に配置された、負レンズ、正レンズ、負レンズより構成されている。又は第３レンズ群Ｌ３は物体側から像側へ順に配置された、負レンズ、負レンズ、正レンズより構成されている。又は第３レンズ群Ｌ３は物体側から像側へ順に配置された、正レンズ、負レンズより構成されている。
【００５４】
各実施例において第２レンズ群Ｌ２と第３レンズ群Ｌ３の間に屈折力を有するレンズ群を配置しても良い。第２レンズ群Ｌ２と第３レンズ群Ｌ３の間に正の屈折力のレンズ群を配置すると第３レンズ群Ｌ３の負の屈折力を強くすることが出来るため、第３レンズ群Ｌ３で像ぶれ補正するときの移動量を小さくすることが出来る。また第２レンズ群Ｌ２と第３レンズ群Ｌ３の間に正の屈折力のレンズ群を配置すると、第２レンズ群Ｌ２の正の屈折力を強くすることが出来るため、第２レンズ群Ｌ２でフォーカシングするときの移動量を小さくすることが出来る。
【００５５】
尚、第２レンズ群Ｌ２と第３レンズ群Ｌ３の間にレンズ群を配置しない場合、第２レンズ群Ｌ２と第３レンズ群Ｌ３を最も近接配置できるため、第２レンズ群Ｌ２と第３レンズ群Ｌ３のレンズ有効径の増大を軽減することが容易となる。
【００５６】
次に、本発明の光学系を用いた一眼レフカメラシステムの実施形態を、図２９を用いて説明する。図２９において、１０は一眼レフカメラ本体、１１は本発明による光学系を搭載した交換レンズである。１２は交換レンズ１１を通して形成される像を受光するフィルムや撮像素子（光電変換素子）などの記録手段である。１３は交換レンズ１１からの被写体像を観察するファインダー光学系、１４は交換レンズ１１からの被写体像を記録手段１２とファインダー光学系１３に切り換えて伝送するための回動するクイックリターンミラーである。
【００５７】
ファインダーで被写体像を観察する場合は、クイックリターンミラー１４を介してピント板１５に結像した被写体像をペンタプリズム１６で正立像としたのち、接眼光学系１７で拡大して観察する。撮影時にはクイックリターンミラー１４が矢印方向に回動して被写体像は記録手段１２に結像して記録される。１８はサブミラー、１９は焦点検出装置である。このように本発明の光学系を一眼レフカメラ交換レンズなどの撮像装置に適用することにより、高い光学性能を得ている。なお、本発明はクイックリターンミラーのないミラーレンズの一眼カメラにも同様に適用することができ、上記に限ったものではない。
【００５８】
以下に実施例１乃至９に対応する数値データ１乃至９を示す。各数値データにおいてｉは物体側から数えた面の順番を示す。数値データにおいてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目の光学材料の屈折率とアッベ数である。非球面形状は光軸方向にＸ軸、光軸と垂直な方向にＨ軸、光の進行方向を正としＲを近軸曲率半径、Ｋ、Ａ２、Ａ４、Ａ６、Ａ８、Ａ１０を各々非球面係数としたとき、
【００５９】
【数１】
0006667297.tif 000002
【００６０】
で与えるものとする。各非球面係数において「ｅ−ｘ」は「１０-x」を意味する。また、焦点距離、Ｆナンバー等のスペックに加え、画角は全系の半画角、像高は半画角を決定する最大像高、レンズ全長は第１レンズ面から像面までの距離である。バックフォーカスＢＦは最終レンズ面から像面までの長さを示している。尚、以下に記載する数値データ１乃至９のレンズデータに基づく、各条件式の計算結果を表１に示す。以上、本発明の好ましい実施形態について説明したが、本発明はこれらの実施形態に限定されず、その要旨の範囲内で種々の変形及び変更が可能である。
【００６１】
［実施例１］
面番号       r        d      nd         νd
1         83.363    7.80   1.48749    70.2           
2        449.970    0.15                             
3         52.309   11.10   1.49700    81.5           
4        469.993    0.15                             
5         54.389    4.78   1.91082    35.3           
6         84.133    5.53                             
7        257.056    2.40   1.73800    32.3           
8         30.548   28.16                             
9         84.995    1.20   1.67300    38.1           
10         25.353    6.98   1.76385    48.5           
11        263.626    2.50                             
12(絞り)    ∞       1.50                             
13        158.284    1.00   1.69350    53.2           
14         39.128    4.29                             
15        -58.093    4.89   1.80809    22.8           
16        -22.336    1.00   1.72047    34.7           
17        274.565    8.42                             
18        144.993    7.23   1.58913    61.1           
19        -35.084    1.20   1.80518    25.4           
20        -57.695    0.54                             
21         99.907    4.21   1.80400    46.6           
22      -1041.667   54.00                             
像面        ∞   
各種データ
ズーム比     1.00 
焦点距離     133.33  
Fナンバー      2.06  
半画角（度）   9.22  
像高          21.64  
レンズ全長   159.02  
BF            54.00
【００６２】
［実施例２］
面データ
面番号       r        d      nd         νd
1         72.817    4.49   1.91082    35.3           
2        188.084    0.15                             
3         34.437    9.01   1.59522    67.7           
4        180.663    4.44                             
5        223.100    2.40   1.73800    32.3           
6         25.883   16.65                             
7         55.885    1.20   1.76182    26.5           
8         23.989    5.86   1.85150    40.8           
9        163.506    2.50                             
10(絞り)    ∞       1.50                             
11       -335.995    1.00   1.63980    34.5           
12         76.326    1.92                             
13       -114.883    4.37   1.80809    22.8           
14        -25.404    1.00   1.67300    38.1           
15         47.468    3.50                             
16         70.991    5.64   1.72916    54.7           
17        -35.412    1.20   1.84666    23.8           
18       -111.302    8.38                             
19         97.200    3.88   1.84666    23.8           
20      -1041.667   39.99                            
像面        ∞   
焦点距離      98.00  
Fナンバー      2.06  
半画角（度）  12.45  
像高          21.64  
レンズ全長   119.07  
BF            39.99
【００６３】
［実施例３］
面番号       r        d      nd         νd
1         65.298    4.52   1.85150    40.8           
2        114.641    0.15                             
3         48.128    8.40   1.59522    67.7           
4        563.894    0.15                             
5         44.062    2.99   1.83481    42.7           
6         51.161    3.30                             
7        671.489    1.80   1.63980    34.5           
8         27.804   15.15                             
9         66.262    1.20   1.72825    28.5           
10         23.192    6.44   1.85150    40.8           
11        266.131    2.50                             
12(絞り)    ∞       1.50                             
13         97.709    1.00   1.51742    52.4           
14         31.177    4.35                             
15        -44.176    4.60   1.80809    22.8           
16        -21.698    1.00   1.62004    36.3           
17         81.987    2.73                             
18         70.211    8.51   1.72916    54.7           
19        -25.271    1.20   1.90366    31.3           
20        -65.965    4.44                             
21         87.994    4.20   1.85150    40.8           
22      -1041.667    37.99                         
像面        ∞   
焦点距離      84.00  
Fナンバー      1.86  
半画角（度）  14.44  
像高          21.64  
レンズ全長   118.11  
BF            37.99
【００６４】
［実施例４］
面番号       r        d      nd         νd
1         69.898    5.50   2.00100    29.1           
2        121.347    0.15                             
3         60.105    9.32   1.43875    94.9           
4        444.575    0.15                             
5         54.868    4.17   1.76385    48.5           
6         78.619    2.65                             
7        230.427    1.80   1.73800    32.3           
8         34.710   18.99                             
9         67.494    1.20   1.76182    26.5           
10         27.221    9.15   1.85150    40.8           
11        273.577    2.50                             
12(絞り)    ∞       1.50                             
13        251.300    1.00   1.76182    26.5           
14         39.817    5.93                             
15        -58.186    1.00   1.65412    39.7           
16         46.779    5.20   1.92286    20.9           
17       -357.384    1.24                             
18         99.843    8.01   1.49700    81.5           
19        -33.678    1.20   1.69895    30.1           
20         45.038    4.34   1.91082    35.3           
21        186.083    0.73                             
22        138.779    7.29   2.00100    29.1           
23        -39.345    1.40   1.68893    31.1           
24         33.729    8.54   1.83220    40.1           
25*      -224.480    37.99                            
像面        ∞   
非球面データ
第25面
K = 3.52232e+001  A 4= 3.14560e-006  A 6= 1.32292e-009  A 8=-1.17149e-012  A10= 1.73525e-015  
焦点距離      84.00  
Fナンバー      1.45  
半画角（度）  14.44  
像高          21.64  
レンズ全長   140.95  
BF            37.99
【００６５】
［実施例５］
面番号       r        d      nd         νd
1        199.824    8.43   1.48749    70.2           
2       1198.093    0.15                             
3         85.877   21.74   1.43875    94.9           
4       -442.638   10.04                             
5       -365.863    2.40   1.67003    47.2           
6        259.063   38.82                             
7         68.899    7.73   2.00100    29.1           
8        352.468    0.76                             
9        620.960    2.40   1.73800    32.3           
10         42.140   23.39                             
11         59.080    1.20   1.57501    41.5           
12         28.430   11.48   1.58913    61.1           
13        195.411    9.57                             
14(絞り)    ∞       1.50                             
15        474.739    1.00   1.83481    42.7           
16         54.044    4.63                             
17        -72.446    5.38   1.80809    22.8           
18        -27.587    1.00   1.73800    32.3           
19        184.441    2.32                             
20        100.789    8.01   1.48749    70.2           
21        -36.562    1.20   1.80518    25.5           
22        -55.807   33.25                             
23        143.591    9.67   1.84666    23.8           
24      -1039.960   77.08                            
像面        ∞   
焦点距離     290.90  
Fナンバー      2.88  
半画角（度）   4.25  
像高          21.64  
レンズ全長   283.15  
BF            77.08
【００６６】
［実施例６］
面番号       r        d      nd         νd
1        141.813    4.48   1.48749    70.2           
2        491.458    0.15                             
3         56.484   10.55   1.49700    81.5           
4        381.471    0.15                             
5         54.999    5.71   1.91082    35.3           
6         96.809    5.85                             
7        190.264    2.40   1.73800    32.3           
8         33.171   30.83                             
9        102.541    1.20   1.62588    35.7           
10         31.268    6.83   1.77250    49.6           
11        269.228    3.57                             
12(絞り)    ∞       1.50                             
13         65.441    3.43   1.88300    40.8           
14        246.305    2.00                             
15        168.998    1.00   1.88300    40.8           
16         32.232    5.22                             
17        -40.462    5.07   1.80809    22.8           
18        -18.896    1.00   1.72047    34.7           
19        114.908    2.46                             
20         83.409    9.28   1.60311    60.6           
21        -24.529    1.20   1.84666    23.8           
22        -40.723    0.15                             
23        104.186    4.12   1.84666    23.9           
24       -900.150  53.95                            
像面        ∞   
焦点距離     133.33  
Fナンバー      2.06  
半画角（度）   9.22  
像高          21.64  
レンズ全長   162.10  
BF            53.95
【００６７】
［実施例７］
面番号       r        d      nd         νd
1          ∞       1.50                             
2         78.278    8.01   1.90366    31.3           
3        441.653    1.34                             
4         46.025    6.32   1.59522    67.7           
5         91.001    1.93                             
6        167.029    1.80   1.65412    39.7           
7         34.648    5.17                             
8         83.439    8.80   1.59522    67.7           
9        -63.374    1.80   1.65412    39.7           
10         68.327   14.73                             
11         73.217    1.20   1.75520    27.5           
12         26.079    9.93   1.85150    40.8           
13       1003.533    2.50                             
14(絞り)    ∞       1.50                             
15        221.064    1.00   1.74000    28.3           
16         36.374    5.92                             
17        -62.993    1.00   1.65412    39.7           
18         39.204    4.79   1.92286    20.9           
19        233.209    2.00                             
20         51.629    8.16   1.49700    81.5           
21        -46.493    1.20   1.74077    27.8           
22         35.301    6.34   1.91082    35.3           
23        165.220    0.23                             
24        103.224    7.51   2.00100    29.1           
25        -55.857    1.40   1.59270    35.3           
26         44.648    6.71   1.83220    40.1           
27*      -630.797   37.97                           
像面        ∞   
非球面データ
第27面
K =-3.10292e+002  A 4= 3.88746e-006  A 6= 2.10533e-009  A 8=-1.64144e-012  A10= 4.30538e-015  
焦点距離      82.90  
Fナンバー      1.45  
半画角（度）  10.26  
像高          15.00  
レンズ全長   150.79  
BF            37.97
【００６８】
［実施例８］
単位 mm
面データ
面番号       r        d      nd         νd
1          ∞       1.50                             
2         91.265    7.42   1.59270    35.3           
3        653.117    0.15                             
4         51.322    6.97   1.72916    54.7           
5        110.069    3.93                             
6        145.278    1.80   1.65412    39.7           
7         35.535    5.09                             
8         78.889    7.48   1.59522    67.7           
9       -122.377    1.20   1.65412    39.7           
10        163.380   18.44                             
11        133.860    1.20   1.69895    30.1           
12         29.462    8.54   1.85150    40.8           
13        376.721    2.49                             
14(絞り)    ∞       1.50                             
15        242.353    1.00   1.72825    28.5           
16         36.565    6.41                             
17        -57.835    1.00   1.59551    39.2           
18         42.485    5.49   1.92286    20.9           
19       -947.299    2.00                             
20         64.985    7.90   1.80400    46.6           
21        -45.493    1.20   1.85478    24.8           
22        133.263    1.73                             
23        440.703    6.19   1.91082    35.3           
24        -42.161    1.40   1.59270    35.3           
25         39.851    7.24   1.83220    40.1           
26*      -350.280   -0.05                             
27          ∞      38.18                            
像面        ∞   
非球面データ
第26面
K = 1.71721e+002  A 4= 3.27270e-006  A 6=-2.07042e-010  A 8= 4.15642e-012  A10=-3.82721e-015  
焦点距離      82.88  
Fナンバー      1.45  
半画角（度）  14.63  
像高          21.64  
レンズ全長   147.40  
BF            38.18
【００６９】
［実施例９］
面番号       r        d      nd         νd
1         34.273    6.04   1.69680    55.5           
2       1826.364    0.15                             
3         30.464    3.08   1.77250    49.6           
4         49.464    2.74                             
5        657.299    1.20   1.72151    29.2           
6         19.848    9.72                             
7         26.307    3.42   1.69680    55.5           
8      -1022.910    1.85                             
9(絞り)    ∞       2.15                             
10       2435.118    0.80   1.48749    70.2           
11         27.805    3.89                             
12        -35.291    2.11   1.92286    20.9           
13        -18.463    0.80   1.56732    42.8           
14         30.158    2.88                             
15         23.307    9.52   1.49700    81.5           
16        -14.956    1.00   1.85478    24.8           
17        -42.640    0.15                             
18         46.598    6.33   1.90366    31.3           
19        -37.059    5.81                             
20        -20.510    1.00   1.72825    28.5           
21       -196.162    9.99                           
像面        ∞   
焦点距離      50.19  
Fナンバー      1.86  
半画角（度）  10.83  
像高           9.60  
レンズ全長    74.61  
BF             9.99  
【００７０】
【表１】
0006667297.tif 000003
【符号の説明】
【００７１】
Ｌ１  第１レンズ群  Ｌ２  第２レンズ群  Ｌ３  第３レンズ群  Ｌ４  第４レンズ群
【図１】
0006667297.tif 000004
【図２】
0006667297.tif 000005
【図３】
0006667297.tif 000006
【図４】
0006667297.tif 000007
【図５】
0006667297.tif 000008
【図６】
0006667297.tif 000009
【図７】
0006667297.tif 000010
【図８】
0006667297.tif 000011
【図９】
0006667297.tif 000012
【図１０】
0006667297.tif 000013
【図１１】
0006667297.tif 000014
【図１２】
0006667297.tif 000015
【図１３】
0006667297.tif 000016
【図１４】
0006667297.tif 000017
【図１５】
0006667297.tif 000018
【図１６】
0006667297.tif 000019
【図１７】
0006667297.tif 000020
【図１８】
0006667297.tif 000021
【図１９】
0006667297.tif 000022
【図２０】
0006667297.tif 000023
【図２１】
0006667297.tif 000024
【図２２】
0006667297.tif 000025
【図２３】
0006667297.tif 000026
【図２４】
0006667297.tif 000027
【図２５】
0006667297.tif 000028
【図２６】
0006667297.tif 000029
【図２７】
0006667297.tif 000030
【図２８】
0006667297.tif 000031
【図２９】
0006667297.tif 000032